(57)【要約】【課題】室内の壁への取り付ける位置に極力制限を受けないような空気調和機を提供すること。【解決手段】前面パネル４を前下がりに８０度程度傾けた状態で、前面パネル４の被支承体１６の第１支持片１７と第２支持片１８との間に支承体８を位置せしめて、第２支持片１８の突部２３を支承体８の案内溝１３に沿わしながら支承体８の回動軸１１を第１支持片１７の案内溝２１に沿わして、前面パネル４を換気扇本体２へ押し込む。すると、第２支持片１８の突部２３が抜け止め孔１２に位置して挿入され、且つ回動軸１１が嵌合孔２０に嵌合される。そして、前面パネル４を下方へ回動させると、第１支持片１７の被支持部２２が支承体８の支持部１４に当接する。従って、第１支持片１７の被支持部２２と支承体８の支持部１４との係止により、前面パネル４は換気扇本体２との角度が６０度程度の位置で停止した状態となる。【選択図】図６
2007187351.tif 000002
【特許請求の範囲】
【請求項１】
調和機本体と、この調和機本体に開閉自在に設けられた前面パネルとを備えた空気調和機において、前記調和機本体前部に回動軸及び抜け止め孔を備えた一対の支承体を突設させると共に前記回動軸が回動可能に嵌合する嵌合孔及び該嵌合孔に連通する案内溝が開設された第１支持片と前記抜け止め孔に嵌合する突部を有する第２支持片とを備えた一対の被支承体を前記前面パネルに設け、前記支承体の前記回動軸を前記案内溝を介して前記嵌合孔に嵌合させると共に前記被支承体の前記突部を前記支承体の前記抜け止め孔に嵌合したことを特徴とする空気調和機。
【請求項２】
調和機本体と、この調和機本体に開閉自在に設けられた前面パネルとを備えた空気調和機において、前記調和機本体前部に回動軸及び抜け止め孔を備えた一対の支承体を突設させると共に前記回動軸が回動可能に嵌合する嵌合孔が前記前面パネルの後縁より前方の位置に開設されると共に該嵌合孔に連通する案内溝が開設された第１支持片と前記抜け止め孔に嵌合する突部を前記前面パネルの後縁より前方の位置に有する第２支持片とを備えた一対の被支承体を前記前面パネルに設け、前記支承体の前記回動軸を前記案内溝を介して前記嵌合孔に嵌合させると共に前記被支承体の前記突部を前記支承体の前記抜け止め孔に嵌合したことを特徴とする空気調和機。
【請求項３】
調和機本体と、この調和機本体に開閉自在に設けられた前面パネルとを備えた空気調和機において、前記調和機本体前部に回動軸を備えた一対の支承体を突設させると共に前記回動軸が回動可能に嵌合する嵌合孔及び該嵌合孔に連通する案内溝が開設された支持片を備えた一対の被支承体を前記前面パネルに設け、前記案内溝を介して前記嵌合孔に嵌合させた前記支承体の前記回動軸を前記嵌合孔から抜けないように防止する抜け止め体を前記支承体に設けたことを特徴とする空気調和機。
【請求項４】
調和機本体と、この調和機本体に開閉自在に設けられた前面パネルとを備えた空気調和機において、前記調和機本体前部に回動軸を備えた一対の支承体を突設させると共に前記前面パネルの後縁より前方の位置に前記回動軸が回動可能に嵌合する嵌合孔及び該嵌合孔に連通する案内溝が開設された支持片を備えた一対の被支承体を前記前面パネルに設け、前記案内溝を介して前記嵌合孔に嵌合させた前記支承体の前記回動軸を前記嵌合孔から抜けないように防止する抜け止め体を前記支承体に設けたことを特徴とする空気調和機。
【請求項５】
前記前面パネルを開いた状態で保持する支持部を前記支承体及び前記被支承体に形成したことを特徴とする請求項1乃至請求項４のいずれかに記載の空気調和機。
【発明の詳細な説明】
【技術分野】
【０００１】
本発明は、調和機本体と、この調和機本体に開閉自在に設けられた前面パネルとを備えた空調換気扇等の空気調和機に関する。
【背景技術】
【０００２】
この種の空気調和機は、特許文献１などに開示されている。この特許文献１によれば、例えば内部のメンテナンスのために、前面パネルを回動軸を支点として回動させると、この前面パネルの一部が換気扇本体の上面より上方に位置することとなる。
【特許文献１】特開平６−２８１１８４号公報
【発明の開示】
【発明が解決しようとする課題】
【０００３】
しかし、前述したように、前面パネルの一部が換気扇本体の上面より大きく上方に位置することとなると、この空気調和機を室内の壁に取り付ける位置も制限を受け、ときに取り付けることができない場合も起こる。
【０００４】
そこで本発明は、室内の壁への取り付ける位置に極力制限を受けないような空気調和機を提供することを目的とする。
【課題を解決するための手段】
【０００５】
このため第１の発明は、調和機本体と、この調和機本体に開閉自在に設けられた前面パネルとを備えた空気調和機において、前記調和機本体前部に回動軸及び抜け止め孔を備えた一対の支承体を突設させると共に前記回動軸が回動可能に嵌合する嵌合孔及び該嵌合孔に連通する案内溝が開設された第１支持片と前記抜け止め孔に嵌合する突部を有する第２支持片とを備えた一対の被支承体を前記前面パネルに設け、前記支承体の前記回動軸を前記案内溝を介して前記嵌合孔に嵌合させると共に前記被支承体の前記突部を前記支承体の前記抜け止め孔に嵌合したことを特徴とする。
【０００６】
第２の発明は、調和機本体と、この調和機本体に開閉自在に設けられた前面パネルとを備えた空気調和機において、前記調和機本体前部に回動軸及び抜け止め孔を備えた一対の支承体を突設させると共に前記回動軸が回動可能に嵌合する嵌合孔が前記前面パネルの後縁より前方の位置に開設されると共に該嵌合孔に連通する案内溝が開設された第１支持片と前記抜け止め孔に嵌合する突部を前記前面パネルの後縁より前方の位置に有する第２支持片とを備えた一対の被支承体を前記前面パネルに設け、前記支承体の前記回動軸を前記案内溝を介して前記嵌合孔に嵌合させると共に前記被支承体の前記突部を前記支承体の前記抜け止め孔に嵌合したことを特徴とする。
【０００７】
第３の発明は、調和機本体と、この調和機本体に開閉自在に設けられた前面パネルとを備えた空気調和機において、前記調和機本体前部に回動軸を備えた一対の支承体を突設させると共に前記回動軸が回動可能に嵌合する嵌合孔及び該嵌合孔に連通する案内溝が開設された支持片を備えた一対の被支承体を前記前面パネルに設け、前記案内溝を介して前記嵌合孔に嵌合させた前記支承体の前記回動軸を前記嵌合孔から抜けないように防止する抜け止め体を前記支承体に設けたことを特徴とする。
【０００８】
第４の発明は、調和機本体と、この調和機本体に開閉自在に設けられた前面パネルとを備えた空気調和機において、前記調和機本体前部に回動軸を備えた一対の支承体を突設させると共に前記前面パネルの後縁より前方の位置に前記回動軸が回動可能に嵌合する嵌合孔及び該嵌合孔に連通する案内溝が開設された支持片を備えた一対の被支承体を前記前面パネルに設け、前記案内溝を介して前記嵌合孔に嵌合させた前記支承体の前記回動軸を前記嵌合孔から抜けないように防止する抜け止め体を前記支承体に設けたことを特徴とする。
【０００９】
第５の発明は、第１乃至第４のいずれかに記載の空気調和機に係る発明において、前記前面パネルを開いた状態で保持する支持部を前記支承体及び前記被支承体に形成したことを特徴とする。
【発明の効果】
【００１０】
本発明は、前面パネルの着脱時、あるいは前方への回動時に、前面パネルが室内の壁に当接することを防止し、室内の壁に取り付ける位置に極力制限を受けないような空気調和機を提供することができる。
【発明を実施するための最良の形態】
【００１１】
本発明の実施の形態を図面を参照して、以下説明する。図１は本発明に係る空気調和機としての空調換気扇の斜視図、図２は換気扇本体の斜視図であり、以下説明する。先ず、１は室内の壁に取付けられる空気調和機としての空調換気扇であり、この空調換気扇１は本体フレーム２ａと前面グリル２ｂとから成る換気扇本体２と、前側に空気吸込口３ａと空気吹出口３ｂが形成されて前記前面グリル２ｂに着脱可能に設けられる前面パネル４とを備えている。
【００１２】
空調換気扇１は室内の汚れた空気を室外に排出すると共に室外の新鮮空気を室内に吸い込み、この際に外気と室内空気との間で熱交換を行わせて冷暖房のエネルギーロスを低減するようにした空気調和機である。詳述すれば、室内側に開口した空気吸込口３ａと空気吹出口３ｂを有して箱体状を呈し、換気扇本体２内に室内と室外とを連通する排気通路及び給気通路を通る気流間で熱交換する熱交換素子組立体５を備え、駆動モータにより駆動される前記排気通路内に配設される排気ファン６及び該排気ファン６の後方の前記給気通路内に配設される給気ファン（図示せず）とを備えている。
【００１３】
前記換気扇本体２の前記前面グリル２ｂの前面上部の左右両コーナーには凹部７が形成され、この凹部７の前面７ａには前面グリル２ｂより下方の位置に前方へ突出した支承体８が左右対称に形成されており、以下右側の支承体８について、詳述する。
【００１４】
図３及び図４において、この支承体８は、大きく分けて前面７ａから前方に延びた基部９と、基部９の前部から斜め上方向に延びた支承部１０とから構成されている。前記支承部１０には中央部にその内側の面から前記換気扇本体２内方へ突出した回動軸１１と、外側の面から窪んだ抜け止め孔１２とがそれぞれの中心を同じにして形成されている。また、前記抜け止め孔１２から支承部１０の周縁まで、水平線からほぼ４５度前上がりに案内溝１３が形成されている。この案内溝１３の幅は抜け止め孔１２から支承部１０の周縁に向かうに従い幅広に形成されている。また、前記支承部１０には、前面パネル４を上方へ回動し開いた状態で支持するために、前下がりに突出し、断面形状が前記換気扇本体２内方（図４において左方向）に向けて突出した山形の支持部１４が形成されている。
【００１５】
一方、前面パネル４の裏面上部の左右両コーナーには、被支承体１６がこの前面パネル４と一体に対称に形成されている。以下、右側の前記支承体８に対応した右側の被支承体（裏面においては、図５に示す左側の被支承体）１６について、詳述する。
【００１６】
図５に示すように、前記被支承体１６は、内側の第１支持片１７と、この第１支持片１７と間隔を存し平行に外側に位置し設けられた第２支持片１８とから構成されている。そして、第１支持片１７には、前記支承体８の回動軸１１が回動可能に嵌合する嵌合孔２０と、第１支持片１７の後縁（前面パネル４の前方から見て）から斜め前方へ延び嵌合孔２０に連通する案内溝２１が開設されている。
【００１７】
また、前記第１支持片１７の内側面には、第２支持片１８に向かい突出した断面形状が山形の被支持部２２が前記支持部１４に対応して形成されている。なお、この被支持部２２は、前面パネル４の着脱時における傾き角度より小さい角度（例えば、６０度程度）傾いた状態にて前記支持部１４に係止する位置に形成されている。また、第２支持片１８には、抜け止め孔１２に嵌合する突部２３がその内側面から内方へ突出して形成されている。
【００１８】
以下、前面パネル４の換気扇本体２（前面グリル２ｂ）への着脱方法について、図６乃至図１０に基づき説明する。なお、図６は前面パネル４の換気扇本体２への取り付け動作を説明する側部の断面図、図７は前面パネル４の換気扇本体２への取り付け動作を説明する第１支持片１７と第２支持片１８との間を断面した状態の斜視図、図８は前面パネル４の被支持部２２が換気扇本体２の支持部１４に支持されている状態を説明するために第１支持片１７と第２支持片１８との間を縦断面した状態の側面図、図９は前面パネル４の被支持部２２が換気扇本体２の支持部１４に支持されている状態を説明するために第１支持片１７と第２支持片１８との間を縦断面した状態の斜視図、図１０は前面パネル４が閉じられた状態を説明するために第１支持片１７と第２支持片１８との間を縦断面した状態の側面図である。
【００１９】
前面パネル４の換気扇本体２への取り付け時には、図６及び図７に示すような前面パネル４を前下がりに傾けた状態（例えば、傾き角度は８０度）で、前面パネル４の被支承体１６の第１支持片１７と第２支持片１８との間に支承体８を位置せしめて、図６に点線矢印にて示したように、第２支持片１８の突部２３を支承体８の案内溝１３に沿わしながら支承体８の回動軸１１を第１支持片１７の案内溝２１に沿わして、前面パネル４を換気扇本体２へ押し込む。すると、第２支持片１８の突部２３が抜け止め孔１２に位置して挿入され、且つ回動軸１１が嵌合孔２０に嵌合される。
【００２０】
そして、前面パネル４を下方へ回動させると、図８及び図９に示したように、第１支持片１７の被支持部２２が支承体８の支持部１４に当接する。従って、第１支持片１７の被支持部２２と支承体８の支持部１４との係止により、前面パネル４は換気扇本体２との角度が６０度程度の位置で停止した状態となる。このままの状態では、支承体８の支持部１４が第２支持片１８に係止して、換気扇本体２からの前面パネル４の抜けが防止される。
【００２１】
更に、前面パネル４を下方へ押圧すると、断面形状が山形の被支持部２２は断面形状が山形の支持部１４を乗り越え、前面パネル４が下方へ回動し、前面パネル４の裏面左右両側の下部に設けられた係止片２５が換気扇本体２の左右両側の下部に設けられた係止部２６にそれぞれ係止し、換気扇本体２に前面パネル４が取り付けられる。
【００２２】
また、前面パネル４を換気扇本体２から取り外すときには、取り付けるときとは反対に、前面パネル４を支承体８の回動軸１１を支点として上方へ回動させるが、概ね６０度手移動回動させると第１支持片１７の被支持部２２が支承体８の支持部１４に当接する。更に、前面パネル４を上方へ回動させると、被支持部２２が支持部１４を越えるので、このまま前面パネル４から手を離すと、第１支持片１７の被支持部２２が支承体８の支持部１４に係止し、前面パネル４は換気扇本体２との角度が６０度程度の位置で停止した状態となる。従って、換気扇本体２内部のメンテナンスを行なうことができる。
【００２３】
そして、更に前面パネル４を上方へ回動させた後、回動軸１１が案内溝２１に且つ突部２３が案内溝１３に沿うように、前面パネル４を前方斜め上方へ引くことにより、前面パネル４を換気扇本体２を取り外すことができる。
【００２４】
上述したように、前面パネル４を着脱する際に、支承体８は前方へ突出しており、且つ被支承体１６の嵌合孔２０及び突部２３は前面パネル４の後縁からほぼ１／３前方寄りの位置に設けられているため、前面パネル４を前下がりに傾けた状態において、前面パネル４の上縁が換気扇本体２の上面より極力上方に突出することを防止でき、前面パネル４の着脱時に前面パネル４が室内の上壁（天井）に当接することを回避でき、この結果、室内の壁に取り付ける位置を極力制限されない空気調和機を提供することができる。
【００２５】
また、前面パネル４を取り付けた状態で、メンテナンス、あるいは内部の清掃などのために、前面パネル４を開けるときには、前面パネル４を上方へ回動すると被支持部２２が支持部１４に当り、更に前面パネル４を上方へ押圧することにより被支持部２２が支持部１４を越える。この状態、即ち図８及び図９に示した状態では、被支持部２２が支持部１４に係止して支持され、前面パネル４を一定角度に開いた状態で保持することもでき、メンテナンスの好適である。このとき、作業者が前面パネル４を更に上方へ回動して前方斜め上方へ引かない限り、前面パネル４は換気扇本体２から外れることもなく、前面パネル４を誤って外すことが回避できて安全である。
【００２６】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２７】
【図１】空調換気扇の斜視図である。
【図２】換気扇本体の斜視図である。
【図３】換気扇本体の上部コーナーを断面せる右側面図である。
【図４】換気扇本体の上部コーナーの斜視図である。
【図５】前面パネルの裏面斜視図及び円で囲んだ部分の拡大斜視図である。
【図６】前面パネルの換気扇本体への取り付け動作を説明する側部の断面図である。
【図７】前面パネルの換気扇本体への取り付け動作を説明する第１支持片と第２支持片との間を断面した状態の斜視図である。
【図８】前面パネルの被支持部が換気扇本体の支持部に支持されている状態を説明するために第１支持片と第２支持片との間を縦断面した状態の側面図である。
【図９】前面パネルの被支持部が換気扇本体の支持部に支持されている状態を説明するために第１支持片と第２支持片との間を縦断面した状態の斜視図である。
【図１０】前面パネルが閉じられた状態を説明するために第１支持片と第２支持片との間を縦断面した状態の側面図である。
【符号の説明】
【００２８】
１              空調換気扇
２              換気扇本体
４              前面パネル
８              支承体
１０            支承部
１１              回動軸
１２              抜け止め孔
１３              案内溝
１４              支持部
１６              被支承体
１７              第１支持片
１８              第２支持片
２０              嵌合孔
２１              案内溝
２２              被支持部
２３              突部
【図１】
2007187351.tif 000003
【図２】
2007187351.tif 000004
【図３】
2007187351.tif 000005
【図４】
2007187351.tif 000006
【図５】
2007187351.tif 000007
【図６】
2007187351.tif 000008
【図７】
2007187351.tif 000009
【図８】
2007187351.tif 000010
【図９】
2007187351.tif 000011
【図１０】
2007187351.tif 000012